(57)【要約】  第１メディア・データがトリックプレイ・モードで再生される間、第１メディア・データと、第１メディア・データとは独立している第２メディア・データと、を選択された方法によって同時に再生する再生方法及び装置である。
2011514610.tif 000002
【特許請求の範囲】
【請求項１】
第１メディア・データと、第１メディア・データとは独立している第２メディア・データとを同時に装置で再生する方法において、
前記第１メディア・データがトリックプレイ・モードで再生される間、前記第２メディア・データを再生する段階を含むことを特徴とする再生方法。
【請求項２】
前記第１メディア・データがトリックプレイ・モードで再生される間、前記第２メディア・データ再生に使われるモードを選択される段階をさらに含むことを特徴とする請求項１に記載の再生方法。
【請求項３】
前記第２メディア・データを再生する段階は、
前記第１メディア・データがトリックプレイ・モードで再生される間、前記第２メディア・データをあらかじめ設定されたモードによって再生する段階を含むことを特徴とする請求項１に記載の再生方法。
【請求項４】
前記第２メディア・データを再生する段階は、
第１  ＳＴＣ（system  time  clock）カウンタで出力される第１クロック信号を利用し、前記第１メディア・データを再生する段階と、
第２  ＳＴＣカウンタで出力される第２クロック信号を利用し、前記第２メディア・データを再生する段階と、を含むことを特徴とする請求項２に記載の再生方法。
【請求項５】
前記第１メディア・データを再生する段階は、
前記第１メディア・データをデパケッタイズする段階と、
前記デパケッタイズされた第１メディア・データを、前記第１クロック信号を利用して復号化する段階と、を含み、
前記第２メディア・データを再生する段階は、
前記第２メディア・データをデパケッタイズする段階と、
前記デパケッタイズされた第２メディア・データを、前記第２クロック信号を利用して復号化する段階と、を含むことを特徴とする請求項４に記載の再生方法。
【請求項６】
前記第２メディア・データの再生が始まった時点から、前記第２クロック信号は、前記第１クロック信号に同期化され、
前記第２メディア・データを再生する段階は、
前記第１メディア・データの前記トリックプレイ・モード再生に同期され、前記第２メディア・データも、前記トリックプレイ・モードで再生される段階を含むことを特徴とする請求項４に記載の再生方法。
【請求項７】
前記第２メディア・データを再生する段階は、
前記第１メディア・データが前記トリックプレイ・モードで再生される間、前記第２メディア・データをディスプレイ部に出力しない段階を含むことを特徴とする請求項６に記載の再生方法。
【請求項８】
前記第２メディア・データを再生する段階は、前記第１メディア・データがトリックプレイ・モードで再生される間、前記第２メディア・データをディスプレイ部に出力しない段階を含むことを特徴とする請求項１に記載の再生方法。
【請求項９】
前記第２クロック信号は、前記第１クロック信号とは独立し、
前記再生する段階は、前記第１メディア・データとは独立して、前記第２データを再生する段階を含むことを特徴とする請求項４に記載の再生方法。
【請求項１０】
前記第２メディア・データを再生する段階は、
前記第１メディア・データが前記トリックプレイ・モードで再生される間、前記第２メディア・データを再生させないように、前記第２  ＳＴＣカウンタは、前記第２クロック信号を出力しない段階を含むことを特徴とする請求項４に記載の再生方法。
【請求項１１】
前記再生する段階は、
前記トリックプレイ・モードで再生される前記第１メディア・データが、ディスプレイ部に出力される間、前記第２メディア・データをディスプレイ部に出力しない段階と、
前記第１メディア・データの前記トリックプレイ・モード再生が終了すれば、前記第２メディア・データの出力が停止した第２メディア・データの時点から、前記第２メディア・データを再生する段階と、を含むことを特徴とする請求項１０に記載の再生方法。
【請求項１２】
前記再生する段階は、
前記第１メディア・データが前記トリックプレイ・モードで再生され始まれば、再生中であった前記第２メディア・データの時点から静止映像を生成する段階と、
前記第１メディア・データが前記トリックプレイ・モードで再生される間、前記静止映像を再生する段階と、
前記第１メディア・データの前記トリックプレイ・モード再生が終了すれば、前記静止映像が生成された第２メディア・データの時点から、前記第２メディア・データを再生する段階と、を含むことを特徴とする請求項１０に記載の再生方法。
【請求項１３】
前記第２メディア・データを再生する段階は、前記第１メディア・データとは独立して、前記第２メディア・データを再生する段階を含むことを特徴とする請求項１に記載の再生方法。
【請求項１４】
第１メディア・データと、第１メディア・データとは独立している第２メディア・データとを同時に再生する装置において、
前記第１メディア・データがトリックプレイ・モードで再生される間、前記第２メディア・データを再生する再生部を含むことを特徴とする再生装置。
【請求項１５】
前記再生部は、
前記第１メディア・データがトリックプレイ・モードで再生される間、前記第２メディア・データを再生するのに使われるモードを選択されることを特徴とする請求項１４に記載の再生装置。
【請求項１６】
前記再生部は、前記第２メディア・データを再生するためにあらかじめ設定されたモードによって、前記第２メディア・データを再生することを特徴とする請求項１４に記載の再生装置。
【請求項１７】
前記装置は、
前記第１メディア・データを再生するために第１クロック信号を出力する第１  ＳＴＣ（system  time  clock）カウンタと、
前記第２メディア・データを再生するために第２クロック信号を出力する第２  ＳＴＣカウンタと、を含むことを特徴とする請求項１５に記載の再生装置。
【請求項１８】
前記再生部は、
前記第１メディア・データをデパケッタイズする第１デパケッタイザと、
前記デパケッタイズされた第１メディア・データを、前記第１クロック信号を利用して復号化する第１デコーディング部と、
前記第２メディア・データをデパケッタイズする第２デパケッタイザと、
前記デパケッタイズされた第２メディア・データを、前記第２クロック信号を利用して復号化する第２デコーディング部と、を含むことを特徴とする請求項１７に記載の再生装置。
【請求項１９】
前記第２メディア・データの再生が始まった時点から、前記第２クロック信号は、前記第１クロック信号に同期化され、
前記再生部は、
前記第１メディア・データの前記トリックプレイ・モード再生に同期され、前記第２メディア・データも、前記トリックプレイ・モードで再生することを特徴とする請求項１７に記載の再生装置。
【請求項２０】
前記再生部は、
前記トリックプレイ・モードで再生される前記第１メディア・データがディスプレイ部に出力される間、前記第２メディア・データを、前記ディスプレイ部に出力しないことを特徴とする請求項１９に記載の再生装置。
【請求項２１】
前記再生部は、前記第１メディア・データが前記トリックプレイ・モードで再生される間、前記第２メディア・データを、前記ディスプレイ部に出力しないことを特徴とする請求項１４に記載の再生装置。
【請求項２２】
前記第２クロック信号は、前記第１クロック信号とは独立し、
前記再生部は、前記第１メディア・データとは独立して、前記第２データを再生することを特徴とする請求項１７に記載の再生装置。
【請求項２３】
前記再生部は、
前記第１メディア・データが前記トリックプレイ・モードで再生される間、前記第２メディア・データを再生させないように、前記第２  ＳＴＣカウンタをして、前記第２クロック信号を出力させないことを特徴とする請求項１７に記載の再生装置。
【請求項２４】
前記再生部は、
前記第１メディア・データが前記トリックプレイ・モードで再生される間、前記第２メディア・データをディスプレイ部に出力せずに、前記第１メディア・データの前記トリックプレイ・モード再生が終了すれば、前記第２メディア・データが出力されなかった前記第２メディア・データの時点から、前記第２メディア・データを再生することを特徴とする請求項２３に記載の再生装置。
【請求項２５】
前記再生部は、
前記第１メディア・データが前記トリックプレイ・モードで再生されれば、再生中であった前記第２メディア・データの時点から静止映像を生成し、前記第１メディア・データが前記トリックプレイ・モードで再生される間、前記静止映像を再生し、前記第１メディア・データの前記トリックプレイ・モード再生が終了すれば、前記静止映像が生成された前記第２メディア・データの前記時点から、前記第２メディア・データを再生することを特徴とする請求項２３に記載の再生装置。
【請求項２６】
第１メディア・データと、前記第１メディアとは独立している第２メディア・データを同時に再生する装置において、
トリックプレイ・モードで前記第１メディア・データを再生するための第１クロック信号を出力する第１  ＳＴＣ（system  time  clock）カウンタと、
前記第２メディア・データを再生するための第２クロック信号を出力する第２  ＳＴＣカウンタと、
前記第１メディア・データが前記トリックプレイ・モードで再生される間、前記第２メディア・データを再生する再生部と、を含むことを特徴とする再生装置。
【請求項２７】
前記第１クロック信号は、前記第２クロック信号と独立していることを特徴とする請求項２６に記載の再生装置。
【請求項２８】
前記第１クロック信号によって、前記第１メディア・データをデコーディングする第１デコーディング部と、
前記第２クロック信号によって、前記第２メディア・データをデコーディングする第２デコーディング部と、をさらに含むことを特徴とする請求項２６に記載の再生装置。
【請求項２９】
前記再生部は、前記第１メディア・データが前記トリックプレイ・モードで再生される間、前記第２メディア・データを再生するのに使われるモードを選択されることを特徴とする請求項２６に記載の再生装置。
【請求項３０】
前記再生部は、前記第２メディア・データ再生のための既設定のモードによって、前記第２メディア・データを再生することを特徴とする請求項２６に記載の再生装置。
【発明の詳細な説明】
【技術分野】
【０００１】
本発明は、再生方法及び装置に係り、さらに具体的には、複数のビデオデータを１つの画面にディスプレイしていて、１つのビデオデータをトリック・モードで再生する場合、他のビデオデータをユーザが選択した方法によって、多様に再生する方法及び装置に関する。
【背景技術】
【０００２】
デジタル技術の発達によって、各種メディア・データを再生する装置（デジタルＴＶ、ＤＶＤ（digital  versatile  disc）プレイヤ、コンピュータなど）が広く普及している。かような装置は、各種コンテンツ提供者（例えば、放送局及び映画制作社）が運営する一つ以上のサーバから通信網を介して、オーディオ・データ、ビデオ・データまたはテキスト・データなどのメディア・データを受信したり、ビデオ・データやオーディオ・データなどが記録された記録媒体を読み取ってメディア・データを再生できる。
【０００３】
メディア・データを記録する記録媒体としては、ＤＶＤ、ＢＤ（blue-ray  disc）などがある。高密度記録媒体の発達によって、記録媒体に大容量データを記録することが可能になった。これによって、１つの装置で、二つ以上のメディア・データを同時に再生する技術が開発されている。この技術を利用すれば、ユーザは、所望のメディア・データを１つの画面や１つのスピーカで、重複して利用できる。ユーザが二つ以上のメディア・データを利用していて、１つのメディア・データを早送りしたりゆっくり再生するようなトリックプレイ・モードで再生する場合、残りのメディア・データをいかように再生するかが問題となる。
【発明の概要】
【発明が解決しようとする課題】
【０００４】
本発明は、前記のような問題点を解決するためのものであり、複数のメディア・データを共に再生する再生方法、再生装置及び記録媒体を提供することを目的とする。
【課題を解決するための手段】
【０００５】
前記課題を解決するために、本発明の一側面によれば、第１メディア・データとは独立している第２メディア・データを、前記第１メディア・データと共に再生する方法において、前記第１メディア・データがトリックプレイ・モードで再生される間、選択された方法によって、前記第２メディア・データを再生する段階を含むことを特徴とする再生方法を提供できる。
【０００６】
望ましい実施形態において、前記第１メディア・データがトリックプレイ・モードで再生される間、前記第２メディア・データが再生される方法を選択される段階をさらに含むことを特徴とする。また、前記再生する段階は、第１  ＳＴＣ（system  time  clock）カウンタで出力される第１クロック信号を利用し、前記第１メディア・データを再生する段階と、第２  ＳＴＣカウンタで出力される第２クロック信号を利用し、前記第２メディア・データを再生する段階とを含むことを特徴とする。また、前記第１メディア・データを再生する段階は、前記第１メディア・データをデパケッタイズする段階と、前記デパケッタイズされた第１メディア・データを、前記第１クロック信号を利用して復号化する段階とを含み、前記第２メディア・データを再生する段階は、前記第２メディア・データをデパケッタイズする段階と、前記デパケッタイズされた第２メディア・データを、前記第２クロック信号を利用して復号化する段階とを含むことを特徴とする。また、前記第２メディア・データの再生が始まった時点から、前記第２クロック信号は、前記第１クロック信号に同期化され、前記再生する段階は、前記第１メディア・データの前記トリックプレイ・モード再生に同期され、前記第２メディア・データも、前記トリックプレイ・モードで再生される段階を含むことを特徴とする。また、前記再生する段階は、前記第１メディア・データが、前記トリックプレイ・モードで再生される間、前記第２メディア・データを画面に出力しない段階を含むことを特徴とする。また、前記第２クロック信号は、前記第１クロック信号とは独立して、前記再生する段階は、前記第１メディア・データとは独立して、前記第２データを再生する段階を含むことを特徴とする。また、前記再生する段階は、前記第１メディア・データが、前記トリックプレイ・モードで再生される間、前記第２  ＳＴＣカウンタは、前記第２クロック信号を出力せずに、前記第２メディア・データは、再生されない段階を含むことを特徴とする。また、前記再生する段階は、前記第１メディア・データが、前記トリックプレイ・モードで再生される間、前記第２メディア・データを画面に出力しない段階と、前記第１メディア・データの前記トリックプレイ・モード再生が終了すれば、前記第２メディア・データを、前記出力していない部分から再生する段階とを含むことを特徴とする。また、前記再生する段階は、前記第１メディア・データが、前記トリックプレイ・モードで再生され始める時点で、再生中であった前記第２メディア・データを利用して静止映像を生成する段階と、前記第１メディア・データが、前記トリックプレイ・モードで再生される間、前記静止映像を再生する段階と、前記第１メディア・データの前記トリックプレイ・モード再生が終了する時点で、前記静止映像で抽出された部分から、前記第２メディア・データを再生し始める段階とを含むことを特徴とする。
【０００７】
本発明の他の側面によれば、第１メディア・データとは独立している第２メディア・データを、前記第１メディア・データと共に再生する装置において、前記第１メディア・データがトリックプレイ・モードで再生される間、選択された方法によって、前記第２メディア・データを再生する再生部を含むことを特徴とする再生装置を提供できる。
【０００８】
本発明のさらに他の側面によれば、第１メディア・データとは独立している第２メディア・データを、前記第１メディア・データと共に再生する方法において、前記第１メディア・データがトリックプレイ・モードで再生される間、選択された方法によって、前記第２メディア・データを再生する段階を含むことを特徴とする再生方法を実行するためのプログラムを保存したコンピュータで読み取り可能な記録媒体を提供できる。
【発明の効果】
【０００９】
本発明によれば、複数のメディア・データをユーザの選択によって、多様な方法で共に再生する再生方法、再生装置及び記録媒体を提供できる。
【図面の簡単な説明】
【００１０】
【図１】本発明の一実施形態によるデコーディング装置の内部ブロック図である。
【図２】本発明の一実施形態によるデータ・パケットの構造を示した図である。
【図３】図１のデコーディング装置に含まれている再生部をさらに具体的に図示したブロック図である。
【図４】本発明の一実施形態による再生方法を示したフローチャートである。
【図５】本発明の他の実施形態による再生方法を示したフローチャートである。
【図６】本発明のさらに他の実施形態による再生方法を示したフローチャートである。
【図７】本発明のさらに他の実施形態による再生方法を示したフローチャートである。
【発明を実施するための形態】
【００１１】
本出願は、韓国特許庁に２００８年２月２９日付けで出願された韓国特許出願第２００８−１９３１８号に対して優先権の利益を主張する。
【００１２】
以下、添付された図面を参照しつつ、本発明の望ましい実施形態について詳細に説明する。
【００１３】
図１は、本発明の一実施形態によるデコーディング装置の内部ブロック図である。図１を参照すれば、デコーディング装置１００は、通信網１０１を介して、外部サーバ１０３と連結されている。デコーディング装置１００は、外部サーバ１０３から受信したメディア・データ（例えば、オーディオ・データやビデオ・データ、イメージデータ、テキスト・データ、メタデータ）を再生したり、記録媒体１７０に記録されたデータを読み取ってデータを再生する装置であり、デジタルＴＶ、コンピュータ、ＤＶＤ(digital  versatile  disc)プレイヤ、ブルーレイ（blu-ray）プレイヤ、ビデオＣＤプレイヤ、デジタル・ビデオレコーダ（ＤＶＲ）、携帯電話、ポータブルあるいはノンポータブル・マルチメディア・プレイヤなどを含む。本発明でのデコーディング装置１００は、記録媒体１７０にデータを記録する機能を遂行することができるが、本発明の実施形態がこれに限定されるものではなく、例えば、デコーディング装置１００は、記録機能は遂行せずに、データをデコーディングして再生する機能を遂行することも可能である。通信網１０１は、有線または無線の通信網を含む。記録媒体１７０は、光記録媒体、除去可能なハードドライブ、ＳＤカードなどになりうる。
【００１４】
外部サーバ１０３は、コンテンツ提供者（例えば、放送局、映画制作社及び一般コンテンツ生成企業）が運営しうる。さらに、外部サーバ１０３には、各種メディア・データ（例えば、オーディオ・データ、ビデオ・データ、テキスト・データ、及び／またはそれらに係わるメタデータ）が保存されている。図１では、デコーディング装置１００が外部サーバ１０３からデータをダウンロードされると図示されているが、デコーディング装置１００は、外部サーバ１０３以外に、データベース（図示せず）からデータをダウンロードされてこれを保存することも可能である。ホームネットワークの場合、外部サーバ１０３は、メディアを家庭用コンピュータ上のユーザ・ライブラリに保存することができ、デコーディング装置１００に、有線及び／または無線の方法で連結可能である。
【００１５】
本発明によるデコーディング装置１００は、通信部１１０、ローカル・ストレージ１２０、読取り部１３０、復調部１４０、再生部１５０及び制御部１６０を含む。図１には図示されていないが、デコーディング装置１００は、ユーザとのインターフェースを担当するユーザ・インターフェース及び記録媒体１７０にデータを記録する記録部をさらに含むことができる。
【００１６】
ユーザは、ユーザ・インターフェースを介して、命令を制御部１６０に伝達する。ユーザ・インターフェースは、キーボード、マウス、タッチスクリーン、リモコン及び／または物理的変換器（physical  transducer）（例えば、マイクロホン）などを含み、ユーザから、命令、文字、数字または音声情報などを入力され、これを制御部１６０に知らせる。本発明でユーザは、ユーザ・インターフェースを利用し、第１メディア・データをトリックプレイ・モードで再生することを命令し、第１メディア・データが同時にトリックプレイ・モードで再生される間、第２メディア・データをいかように再生するかを設定できる。
【００１７】
通信部１１０は、有線及び／または無線の通信網１０１を利用し、外部サーバ１０３またはデータベースに結合されて情報を送受信する。通信部１１０が無線通信技術を遂行する場合、通信部１１０は、無線信号送受信部（図示せず）、基底帯域処理部（図示せず）及びリンク制御部（図示せず）を含むことができる。基底帯域処理部及びリンク制御部は、ＨＣＩ（host  control  interface）によって制御部１６０に連結され、ＨＣＩパケット（packet）を送信及び受信することによって、制御命令と送受信データとをやり取りする。無線通信方法としては、無線ラン（ＷＬＡＮ：wireless  local  area  network）、ブルートゥース（bluetooth）、ジグビー（zigbee）、ワイブロ（ＷｉＢｒｏ）の技術などが利用されうる。
【００１８】
ローカル・ストレージ１２０は、通信部１１０が外部サーバ１０３やデータベースからダウンロードした情報を保存する。実施形態としては、読取り部１３０がローカル・ストレージ１２０や記録媒体１７０からデータを読み取り、読み取られたデータを復調部１４０に送ることを含む。復調部１４０は、読取り部１３０が読み取ったデータを、エンコーティング装置（図示せず）が変調した方法に対応する復調方法を利用し、復調されたデータを生成する。復調部１４０は、メディア・データが複数である場合、それぞれを該当する再生部１５０に送るために、各メディア・データを分離する。例えば、メディア・データが、第１メディア・データ及び第２メディア・データを含む場合、復調部１４０は、第１メディア・データ及び第２メディア・データを復調し、第１メディア・データ及び第２メディア・データを、それぞれ該当する再生部１５０に送る。再生部１５０は、復調されたデータそれぞれをデコーディングして出力できるフォーマットに変形し、変形された信号を出力する。再生部１５０は、オーディオ・データをミキシングし、スピーカに共に出力したり、ビデオ・データ及びサブデータをブレンドし、これを１つの画面に出力できる。再生部１５０は、デコーディング装置１００の全般的な状態、及び／またはユーザがユーザ・インターフェースを介して入力した情報などを、画面やスピーカを介して出力することも可能である。
【００１９】
図１には図示されていないが、デコーディング装置１００は、ＳＴＣ（system  time  clock）カウンタによってデコーディングされて出力される。ＳＴＣは、デコーディング装置内部のシステム・タイムクロックであり、デコーディング装置の基本になる同期信号である。各メディア・データ・アイテムは、ＳＴＣカウンタによって出力されるクロック信号によって、決まった時間にデコーディングされて再生される。メディア・データが複数である場合、（例えば、前記で例を挙げたように、メディア・データが第１メディア・データ及び第２メディア・データを含む場合、）第１メディア・データ及び第２メディア・データは、１つのＳＴＣカウンタによって出力されるクロック信号によって同期され、出力されもするが、第１メディア・データ及び第２メディア・データが独立している場合、それぞれのメディア・データは、対応する第１  ＳＴＣカウンタ及び第２  ＳＴＣカウンタによって出力されるそれぞれのクロック信号によって、独立して制御されて出力される。
【００２０】
ユーザは、ユーザ・インターフェースを利用し、第１メディア・データがトリックプレイ・モードで再生される間、第２メディア・データは、いかように再生されるかを設定できる。しかし、発明の実施形態が、これに限定されるものではない。例えば、他の側面によれば、デコーディング装置１００は、ユーザの制御に係りなく、デコーディング装置１００内部に既定の方法で、第２メディア・データを再生することも可能である。または、デコーディング装置１００は、ユーザが第２メディア・データをいかように再生するかを設定しない場合、デフォルトとして第２メディア・データを再生できる。また、第１メディア・データがトリックプレイ・モードで再生される場合、第２メディア・データは、第１メディア・データと共に同期化され、トリックプレイ・モードで再生されたり、第１メディア・データとは独立して再生されうる。さらに、第１メディア・データがトリックプレイ・モードで再生される場合、第２メディア・データは、再生を一時的に止めることも可能である。メディア・データを、ＳＴＣカウンタを利用してデコーディングすることについては、図２及び３を参照しつつ、さらに詳細に説明する。
【００２１】
制御部１６０は、デコーディング装置１００の動作を制御し、本発明の実施形態による再生方法を遂行させる。制御部１６０は、計算を行うためのＡＬＵ（arithmetic  logic  unit）、データ及び命令語の一時的な保存のためのレジスタを含む。制御部１６０は、第１メディア・データがトリックプレイ・モードで再生される場合、ユーザの選択及び／またはデコーディング装置１００で既設定の方法によって、第２メディア・データを再生する。例えば、制御部１６０は、第１メディア・データがトリックプレイ・モードで再生される間、第２メディア・データが、トリックプレイ・モードで再生されるようにあらかじめ設定されていた場合、第１メディア・データがトリックプレイ・モードで再生されるか否かを判断し、第１メディア・データが、トリックプレイ・モードで再生されることを選択される場合、第１メディア・データにクロック信号を提供するＳＴＣカウンタと、第２メディア・データにクロック信号を提供するＳＴＣカウンタとを同期化する。第１メディア・データがトリックプレイ・モードで再生される間、第２メディア・データは、第１メディア・データとは独立して再生されることを選択される場合、制御部１６０は、第１メディア・データと第２メディア・データとに、それぞれクロック信号を提供するＳＴＣカウンタを利用し、それぞれのメディア・データを独立してデコーディングする。制御部１６０は、第１メディア・データがトリックプレイ・モードで再生される間、第２メディア・データは、再生しないことを選択されれば、第１メディア・データがトリックプレイ・モードで再生される場合、第２メディア・データにクロック信号を提供するＳＴＣカウンタは、動作しないように制御する。この場合、第２メディア・データにクロック信号を提供するＳＴＣカウンタは、第１メディア・データのトリックプレイ・モード再生が終了するまで、クロック信号を生成しない。従って、第２メディア・データは、デコーディングされずに、再生されなくなる。必ずしもこうであるわけではないが、制御部１６０は、一つ以上のプロセッサ及び／またはコンピュータで具現されうる。
【００２２】
図２は、本発明の一実施形態によるデータ・パケットの構造を示した図である。図２を参照すれば、データ・パケット２００は、ＡＶデータ２３０、ＤＴＳ（decording  time  stamp）２１０及びＰＴＳ（presentation  time  stamp）２２０の情報を含む。
【００２３】
記録媒体１００に記録されたり、サーバ１３０を介して伝送されるビデオ・データ及び／またはオーディオ・データは、データ量が膨大であるために、記録される前に、時空間圧縮が行われる。ビデオ・データ及び／またはオーディオ・データは、パケットと呼ばれる適当な長さのビット・ストリームに分割される。さらに、ビット・ストリームには、付加情報（例えば、ヘッダ）が付けられて適切に混せ、時分割伝送される。各データは、他のデータと同期を合せるために、時間情報（すなわち、タイム・スタンプ）が加えられることもある。特に、タイム・スタンプは、再生時にデコーディング処理のために、各アクセス単位ごとに付けられる一種の視覚管理タグのようなものであり、ビデオ、オーディオのアクセス単位である再生の単位ごとに、いつデコーディングされて再生しなければならないかを示す情報をいう。図２のように、各データ・パケットには、タイム・スタンプとして、ＰＴＳ  ２２０及びＤＴＳ  ２１０が含まれている。ＰＴＳ  ２２０は、デコーディング装置内部のシステム・タイムクロックであるＳＴＣがＰＴＳ  ２２０と一致するとき、そのアクセス単位を再生出力するために使われる視覚管理情報の一つである。
【００２４】
ＭＰＥＧタイプのビデオ・コンテキストで、ビデオ・データは、イントラフレーム（Ｉ）ピクチャと、プレディクションフレーム（Ｐ）ピクチャとが、双方向プレディクションフレーム（Ｂ）ピクチャより先行し、符号化ビット列として送出されるために、デコーディング順序と再生出力順序とが異なることになる。従って、ビデオ・データの場合、データが出力されるＰＴＳ  ２２０とは別途に、ＤＴＳ  ２１０というタイム・スタンプを有する。ビデオ・データの場合、ＰＴＳ  ２２０とＤＴＳ  ２１０とが異なる値を有する場合には、パケットデータに、ＰＴＳ
２２０とＤＴＳ  ２１０とを連続して載せ、一致する場合には、ＰＴＳ  ２２０のみを載せる。デコーディング装置１００は、メディア・データに含まれているＤＴＳ  ２１０及びＰＴＳ
２２０を利用し、ＡＶデータ２３０を一定の時間にデコーディングして出力する。
【００２５】
図３は、図１のデコーディング装置に含まれている再生部１５０をさらに具体的に図示したブロック図である。図３を参照すれば、再生部１５０は、デパケッタイザ３１０及び３６０、ＰＩＤ（packet  identifier）フィルタ３２０及び３７０、デコーディング部３３０及び３８０、ＳＴＣカウンタ３４０及び３９０、並びに出力部３５０を含む。復調部１４０は、エンコーティング装置（図示せず）が変調したデータを逆に復調し、第１メディア・データは、第１デパケッタイザ３１０に送り、第２メディア・データは、第２デパケッタイザ３６０に送る。本発明の実施形態で第１メディア・データは、メインストリーム・データ（すなわち、メイン・ピクチャ、タイトル・ビデオなど）になり、第２メディア・データは、サブストリーム・データ（すなわち、サブ・ピクチャなど）になり、その反対も可能である。第１デパケッタイザ３１０は、第１メディア・データをデパケット化した後、デパケット化されたデータを第１  ＰＩＤフィルタ３２０に送る。第１  ＰＩＤフィルタ３２０及び第２  ＰＩＤフィルタ３７０は、受信されたＤＴＳ  ２１０、ＰＴＳ  ２２０の情報が入っている第１メディア・データ及び第メディア・データをそれぞれ逆多重化する。その後、第１  ＰＩＤフィルタ３２０及び第２  ＰＩＤフィルタ３７０は、逆多重化された第１メディア・データ及び第２メディア・データを、それぞれ第１デコーディング部３３０及び第２デコーディング部３８０に送る。図３には図示されていないが、第１  ＰＩＤフィルタ３２０及び第２  ＰＩＤフィルタ３７０から出力された第１メディア・データ及び第２メディア・データは、第１デコーディング部３３０及び第２デコーディング部３８０に入力される前に、バッファ（図示せず）でバッファリングされる。第１  ＳＴＣカウンタ３４０及び第２  ＳＴＣカウンタ３９０は、データ・パケットが復号器バッファに入る瞬間の値が、当該パケットのＰＣＲ値と同一になるように制御する。すなわち、第１  ＳＴＣカウンタ３４０及び第２  ＳＴＣカウンタ３９０は、第１メディア・データ及び第２メディア・データに含まれたＰＣＲ情報によって、それぞれ初期化される。第１  ＳＴＣカウンタ３４０及び第２  ＳＴＣカウンタ３９０は、初期化された時点からカウントを続ける。
【００２６】
かような方法でセッティングされた第１  ＳＴＣカウンタ３４０によって、第１メディア・データは、そのメディア・データに入っているＤＴＳ  ２１０の時間に、第１デコーディング部３３０に入力されてデコーディングされる。第１デコーディング部３３０は、ビデオ・データをデコーディングする第１ビデオデコーディング部（図示せず）、字幕などのサブタイトル・データをデコーディングするサブタイトル・デコーディング部（図示せず）、ＩＧ（interactive  graphic）及び／またはＰＧ（presentation  graphic）をデコーディングするＩＧデコーディング部（図示せず）及び／またはＰＧデコーディング部（図示せず）、オーディオ・データをデコーディングする第１オーディオ・デコーディング部（図示せず）を含む。第１デコーディング部３３０は、第１メディア・データをデコーディングした後、デコーディングされた第１メディア・データを、第１メディア・データのパケットに入っているＰＴＳ時間に、出力部３５０に送る。
【００２７】
同じ方法で、第２メディア・データは、第２  ＳＴＣカウンタ３９０によって、第２メディア・データに含まれているＤＴＳ  ２１０時間に、第２デコーディング部３８０に入力される。第２デコーディング部３８０もまた、ビデオ・データをデコーディングする第２ビデオデコーディング部（図示せず）、字幕などのサブタイトル・データをデコーディングするサブタイトル・デコーディング部（図示せず）、ＩＧ及び／またはＰＧをデコーディングするＩＧデコーディング部（図示せず）及び／またはＰＧデコーディング部（図示せず）、オーディオ・データをデコーディングする第２オーディオ・デコーディング部（図示せず）を含む。第２デコーディング部３８０は、デコーディングされた第２メディア・データを第２メディア・データのパケットに入っているＰＴＳ時間に、出力部３５０に送る。出力部３５０は、デコーディングされたビデオ・データや字幕などをブレンドして画面に出力し、デコーディングされたオーディオ・データをミキシングしてスピーカ（図示せず）に出力する。
【００２８】
本発明で、第１メディア・データと第２メディア・データは、独立していることを前提条件とする。従って、第１メディア・データと第２メディア・データとの再生は、独立して行われるので、第１メディア・データと第２メディア・データは、別途の時点で再生が始まりうる。ユーザは、インターフェースを利用し、第１メディア・データを、早送りや後戻し、遅い再生のような方法で再生できる。ユーザが第１メディア・データを、このようにトリックプレイ・モードで再生する場合、第２メディア・データは、ユーザによってあらかじめ設定された方法、及び／またはデコーディング装置１００にあらかじめ設定された方法で再生される。まず、第１メディア・データがトリックプレイ・モードで再生される間、第２メディア・データもまた、第１メディア・データのように、トリックプレイ・モードで再生される場合について説明する。制御部１６０は、ユーザが第１メディア・データをトリックプレイ・モードで再生することを選択すれば、第１メディア・データに第１クロック信号を提供する第１  ＳＴＣカウンタ３４０と、第２メディア・データに第２クロック信号を提供するＳＴＣカウンタ３９０とを同期化する。第１  ＳＴＣカウンタ３４０及び第２  ＳＴＣカウンタ３９０を同期化するということは、第１  ＳＴＣカウンタ３４０及び第２  ＳＴＣカウンタ３９０で出力される第１クロック信号及び第２クロック信号を同期化することである。これによって、第１  ＳＴＣカウンタ３４０及び第２  ＳＴＣカウンタ３９０は、同期化されたクロック信号を出力する。従って、第１メディア・データが２倍速で再生される場合、第２メディア・データもまた、２倍速で再生される。
【００２９】
デコーディング装置１００は、第１メディア・データがトリックプレイ・モードで再生される間、第２メディア・データは、第１メディア・データとは係わりなく独立して、再生することも可能である。この場合、制御部１６０は、第１  ＳＴＣカウンタ３４０及び第２  ＳＴＣカウンタ３９０を独立して作動させる。すなわち、ユーザが、第１メディア・データをトリックプレイ・モードで再生することを命令すれば、制御部１６０は、第１  ＳＴＣカウンタ３４０を制御し、第１クロック信号を生成させる。第１デコーディング部３３０は、第１  ＳＴＣカウンタ３４０によって生成されたクロック信号によって、デコーディングを行う。この場合、第２メディア・データは、本来再生していた方法そのままに再生される。ユーザが、第１メディア・データを２倍速で再生することを選択すれば、第２メディア・データが再生されている場合、制御部１６０は、第１  ＳＴＣカウンタ３３０及び第２  ＳＴＣカウンタ３９０をそれぞれ制御し、第１メディア・データは、２倍速でデコーディングされて再生されるようにし、第２メディア・データは、本来の再生速度のまま徐々にデコーディングされて再生されるようにすることができる。
【００３０】
デコーディング装置１００は、第１メディア・データがトリックプレイ・モードで再生される間、第２メディア・データの再生を中止させることも可能である。特に、制御部１６０は、ユーザが、第１メディア・データをトリックプレイ・モードで再生することを命令すれば、第１  ＳＴＣカウンタ３４０を制御し、第１メディア・データをトリックプレイ・モードで再生すると同時に、第２  ＳＴＣカウンタ３９０は、動作しないように制御する。この場合、第２  ＳＴＣカウンタ３９０は、クロック信号を生成しない。第２デコーディング部３８０は、第２  ＳＴＣカウンタからクロック信号を入力されないので、第２メディア・データをデコーディングせずに、この時点で停止する。デコーディング装置１００は、第１メディア・データがトリックプレイ・モードで再生される間、第２メディア・データを、画面に再生させないことも可能である。デコーディング装置１００は、第１メディア・データのトリックプレイ・モード再生が終了すれば、第２メディア・データの再生が中止された部分から第２メディア・データを出力できる。例えば、デコーディング装置１００は、第１メディア・データがトリックプレイ・モードで再生されることを選択された時点で、再生中であった第２メディア・データを利用し、静止映像を生成したり、または他の画面を生成することもできる。特に、デコーディング装置１００が、ユーザから第１メディア・データをトリックプレイ・モードで再生することを命令されれば、第１  ＳＴＣカウンタ３４０を制御し、第１メディア・データをトリックプレイ・モードで再生すると同時に、再生中であった第２メディア・データの再生を停止する。デコーディング装置１００は、第２メディア・データの再生が停止した時点で、再生中であった第２メディア・データを、静止画面に生成し、これを出力できる。デコーディング装置１００は、第１メディア・データのトリックプレイ・モード再生が終了すれば、第２メディア・データを、静止画面が生成された時点から再び再生できる。
【００３１】
図４は、本発明の一実施形態による再生方法を示したフローチャートである。図４を参照すれば、デコーディング装置１００は、第１メディア・データ及び第２メディア・データを、ローカル・ストレージ１２０や記録媒体１７０から読み取り、これを復調する（段階４１０）。デコーディング装置１００は、復調された第１メディア・データ及び第２メディア・データをそれぞれデパケッタイズする（段階４２０）。デコーディング装置１００は、デパケッタイズされた第１メディア・データ及び第２メディア・データを逆多重化する。デコーディング装置１００は、第１  ＳＴＣカウンタ３４０及び第２  ＳＴＣカウンタ３９０で出力される第１クロック信号及び第２クロック信号を利用し、逆多重化されたデータを、それぞれ第１デコーディング部３３０及び第２デコーディング部３８０に送る（段階４３０）。本発明の実施形態において、第１メディア・データと第２メディア・データは独立し、第１  ＳＴＣカウンタ３４０及び第２  ＳＴＣカウンタ３９０もまた独立している。デコーディング装置１００は、第１  ＳＴＣカウンタ３４０で出力される第１クロック信号を利用し、第１メディア・データをデコーディングし、第２  ＳＴＣカウンタ３９０で出力される第２クロック信号を利用し、第２メディア・データを独立してデコーディングする（段階４４０）。デコーディング装置１００は、第１メディア・データ及び第２メディア・データを共に再生する（段階４５０）。
【００３２】
図５は、本発明の他の実施形態による再生方法を示したフローチャートである。図５を参照すれば、デコーディング装置１００は、ユーザから第１メディア・データがトリックプレイ・モードで再生される間、第２メディア・データも、トリックプレイ・モードで再生されることを選択される（段階５１０）。前述のように、デコーディング装置１００は、ユーザが選択するところと係わりなく、デコーディング装置１００内部に、第１メディア・データがトリックプレイ・モードで再生される間、第２メディア・データをいかように再生するかについての方法が設定されている。デコーディング装置１００は、ユーザがユーザ・インターフェースを利用し、第１メディア・データをトリックプレイ・モードで再生することを選択したか否かを判断する（段階５２０）。デコーディング装置１００は、第１メディア・データがトリックプレイ・モードで再生されることが選択されれば、第１  ＳＴＣカウンタ３４０及び第２  ＳＴＣカウンタ３９０を同期化する（段階５３０）。第１  ＳＴＣカウンタ３４０及び第２  ＳＴＣカウンタ３９０が同期化されれば（段階５３０）、第１  ＳＴＣカウンタ３４０で出力される第１クロック信号及び第２  ＳＴＣカウンタ３９０で出力される第２クロック信号が同期化される。デコーディング装置１００は、第１  ＳＴＣカウンタ３４０で出力される第１クロック信号を利用し、第１メディア・データをデコーディングし、第１  ＳＴＣカウンタ３４０と同期化された第２  ＳＴＣカウンタ３９０で出力される第２クロック信号を利用し、第２メディア・データをデコーディングする（段階５４０）。この場合、第１メディア・データと共に、第２メディア・データもまた、同じトリックプレイ・モードで再生される。
【００３３】
図６は、本発明のさらに他の実施形態による再生方法を示したフローチャートである。図６を参照すれば、デコーディング装置１００は、ユーザから第１メディア・データがトリックプレイ・モードで再生される間、第２メディア・データは、第１メディア・データとは独立して再生することを選択される（段階６１０）。デコーディング装置１００は、ユーザが、第１メディア・データをトリックプレイ・モードで再生することを選択したか否かを判断する（段階６２０）。デコーディング装置１００は、ユーザが、第１メディア・データをトリックプレイ・モードで再生することを選択した場合、第１  ＳＴＣカウンタ３４０で出力される第１クロック信号を利用し、第１メディア・データをデコーディングし、これとは独立して、第２  ＳＴＣカウンタ３９０で出力される第２クロック信号を利用し、第２メディア・データをデコーディングする（段階６３０）。
【００３４】
図７は、本発明のさらに他の実施形態による再生方法を示したフローチャートである。図７を参照すれば、デコーディング装置１００は、ユーザから第１メディア・データがトリックプレイ・モードで再生される間、第２メディア・データは、再生しないことを選択される（段階７１０）。デコーディング装置１００は、ユーザが第１メディア・データをトリックプレイ・モードで再生することを選択したか否かを判断する（段階７２０）。デコーディング装置１００は、第１メディア・データがトリックプレイ・モードで再生されることを選択された場合（段階７２０）、第１  ＳＴＣカウンタ３４０で出力される第１クロック信号を利用し、第１メディア・データをデコーディングすると同時に、第２  ＳＴＣカウンタ３９０の動作を停止させる（段階７３０）。第２  ＳＴＣカウンタ３９０は、この場合、第２クロック信号を第２デコーディング部３８０に送らずに、第２メディア・データは、デコーディングされない。従って、デコーディング装置１００は、第１メディア・データがトリックプレイ・モードで再生される間、第２メディア・データを画面に再生させず、第１メディア・データのトリックプレイ・モード再生が終了すれば、第２メディア・データを、再生が中止された部分から再び出力できる。場合によっては、デコーディング装置１００は、第１メディア・データがトリックプレイ・モードで再生されることを選択された時点で、第２メディア・データを利用し、再生中であった第２メディア・データから静止映像を生成し、これを出力できる。デコーディング装置１００は、第１メディア・データのトリックプレイ・モード再生が終了すれば、第２メディア・データを静止画面が生成された時点から再び再生できる。
【００３５】
発明の多様な実施形態で、ユーザの選択によって、多様な方法でメディア・データの複数アイテム再生のための方法及び装置を提供でき、また、その方法を保存する記録媒体を提供できる。
【００３６】
以上で説明したような再生方法はまた、コンピュータで読み取り可能な記録媒体に、コンピュータが読み取り可能なコードとして具現することが可能である。コンピュータで読み取り可能な記録媒体は、コンピュータシステムによって読み取り可能なデータが保存されるあらゆる種類の記録装置を含む。コンピュータで読み取り可能な記録媒体の例としては、ＲＯＭ（read-only  memory）、ＲＡＭ（random-access  memory）、ＣＤ−ＲＯＭ、磁気テープ、フロッピー（登録商標）ディスク、光データ保存装置を含む。また、コンピュータで読み取り可能な記録媒体は、ネットワークに連結されたコンピュータシステムに分散され、分散方式でコンピュータで読み取り可能なコードが保存されて実行されうる。
【００３７】
以上、本発明についてその望ましい実施形態を中心に説明した。本発明が属する技術分野で当業者であるならば、本発明が本発明の本質的な特性から外れない範囲で変形された形態で具現できることを理解することができるであろう。従って、開示された実施形態は、限定的な観点ではなくして、説明的な観点から考慮されねばならない。本発明の範囲は、前述の説明ではなくして、特許請求の範囲にしめされており、それと同等な範囲内にあるあらゆる差異点は、本発明に含まれたものであると解釈されねばならない。
【図１】
2011514610.tif 000003
【図２】
2011514610.tif 000004
【図３】
2011514610.tif 000005
【図４】
2011514610.tif 000006
【図５】
2011514610.tif 000007
【図６】
2011514610.tif 000008
【図７】
2011514610.tif 000009
【国際調査報告】
2011514610.tif 000010
2011514610.tif 000011
2011514610.tif 000012